(57)【要約】【課題】  ＡＣ式とＤＣ式の標準付属品の接続部の径を同一としながら、ＡＣ式電気掃除機にＤＣ式吸口体が接続できない誤接続防止構造を有する信頼性の高い付属品を備えた電気掃除機を提供する。【解決手段】    ＡＣ式掃除機本体に接続されるホースと前記ホースに接続可能な延長管、吸口体を具備する電気掃除機であり、前記ホース、前記延長管および前記吸口体とを有する標準付属品は、ＤＣ式電気掃除機が具備する標準付属品と同一の接続部の径を有し、前記ホースと前記延長管の凹側接続部には、前記延長管と前記吸口体の凸側接続部に設けたガイド部が嵌合するガイド受け部を有し、前記ガイド受け部の幅はＤＣ式電気掃除機の前記延長管と前記吸口体が有する前記ガイド部よりも狭い。【選択図】図２
2020000396.tif 000002
【特許請求の範囲】
【請求項１】
ＡＣ式掃除機本体に接続されるホースと前記ホースに接続可能な延長管、吸口体を具備する電気掃除機であり、
前記ホース、前記延長管および前記吸口体とを有する標準付属品は、ＤＣ式電気掃除機が具備する標準付属品と同一の接続部の径を有し、前記ホースと前記延長管の凹側接続部には、前記延長管と前記吸口体の凸側接続部に設けたガイド部が嵌合するガイド受け部を有し、前記ガイド受け部の幅はＤＣ式電気掃除機の前記延長管と前記吸口体が有する前記ガイド部よりも狭いことを特徴とする電気掃除機。
【請求項２】
前記ガイド部は垂直面と水平面を有する略三角形状であることを特徴とする請求項１に記載の電気掃除機。
【請求項３】
前記ガイド部は樹脂により前記凸側接続部と一体に成形されていることを特徴とする請求項１または２に記載の電気掃除機。
【請求項４】
種類の異なる電気掃除機において、
第１の種類の電気掃除機は、蓄電池を電源とするものであり、第２の種類の電気掃除機は、商用電源を電源とするものであり、
各種類の電気掃除機は、ホースと延長管と吸口体と、を有し、
前記第１の種類の電気掃除機における、前記ホースと、前記延長管と、前記吸口体は、互いに接続可能であり、
前記第２の種類の電気掃除機における、前記ホースと、前記延長管と、前記吸口体は、互いに接続可能であり、
それぞれのホースと延長管と吸口体は、互いに接続する部分にガイド部を備え、
前記第１の種類の電気掃除機における前記ホースと前記延長管と前記吸口体の接続部の径は、前記第２の種類の電気掃除機における前記ホースと前記延長管と前記吸口体の接続部の径と略同一であり、
前記第１の種類の電気掃除機における前記ホースと前記延長管と前記吸口体のガイド部の幅は、前記第２の種類の電気掃除機における前記ホースと前記延長管と前記吸口体のガイド部の幅と異なることを特徴とする種類の異なる複数の電気掃除機。
【発明の詳細な説明】
【技術分野】
【０００１】
本発明は、電気掃除機に関する。
【背景技術】
【０００２】
本技術分野の背景技術として、特開2001-321301（特許文献１）がある。この文献に記載の電気掃除機は、蓄電池を電源とする掃除機本体と前記本体に接続されホース、延長管および電動機駆動の回転ブラシを有する吸込具とを具備しており、前記ホース（内径38ｍｍ以下）、前記延長管（内径35ｍｍ以下）は、従来の吸込み力の大きい電気掃除機が具備する、ホース(内径40ｍｍ以上)、延長管（内径40ｍｍ以上）よりも細い径であることが記載されている。
【先行技術文献】
【特許文献】
【０００３】
【特許文献１】特開2001-321301号公報
【発明の概要】
【発明が解決しようとする課題】
【０００４】
一般に電気掃除機として、蓄電池を電源とするＤＣ式電気掃除機と、商用電源を電源とするＡＣ式電気掃除機が知られているが、ＤＣ式吸口体がＡＣ式掃除機本体に誤って接続され通電した場合に、ＤＣ式吸口体に設けられたＤＣモータが破壊される虞がある。よって、これまでＡＣ式とＤＣ式のホース、延長管および吸口体は互換性を持たせないよう、付属品の接続部の径を異なるものとしていた。  
本発明では、ＡＣ式とＤＣ式の付属品の接続部の径を同一としながら、ＡＣ式電気掃除機にＤＣ式の付属品が接続できないという誤接続防止構造を有する信頼性の高い付属品を備えた電気掃除機を提供することを目的とする。
【課題を解決するための手段】
【０００５】
ＡＣ式掃除機本体に接続されるホースと前記ホースに接続可能な延長管、吸口体を具備する電気掃除機であり、前記ホース、前記延長管および前記吸口体とを有する標準付属品は、ＤＣ式電気掃除機が具備する標準付属品と同一の接続部の径を有し、前記ホースと前記延長管の凹側接続部には、前記延長管と前記吸口体の凸側接続部に設けたガイド部が嵌合するガイド受け部を有し、前記ガイド受け部の幅はＤＣ式電気掃除機の前記延長管と前記吸口体が有する前記ガイド部よりも狭いことを特徴とする。
【発明の効果】
【０００６】
本発明によれば、ＡＣ式電気掃除機とＤＣ式電気掃除機の標準付属品の付属品の接続部の径を同一としながら、ＡＣ式電気掃除機にＤＣ式の付属品が接続できないという誤接続防止構造を接続部のガイド部を活用して構成することで、部品数を増やすことなく、軽量かつ低コストで信頼性を向上させた付属品を備えた電気掃除機を提供することができる。
【図面の簡単な説明】
【０００７】
【図１】本発明に係る電気掃除機の全体を示す外観斜視図である。
【図２】本発明に係る実施例１の標準付属品の接続前の正面図である。
【図３（ａ）】ＡＣ式電気掃除機における、図２に記載のホースの操作管のＡ−Ａ断面図である。
【図３（ｂ）】ＤＣ式電気掃除機における、図２に記載のホースの操作管のＡ−Ａ断面図である。
【図４（ａ）】ＡＣ式電気掃除機における、図２に記載の延長管のＢ−Ｂ断面図である。
【図４（ｂ）】ＤＣ式電気掃除機における、図２に記載の延長管のＢ−Ｂ断面図である。
【図５（ａ）】ＡＣ式電気掃除機における、図２に記載の延長管のＣ−Ｃ断面図である。
【図５（ｂ）】ＤＣ式電気掃除機における、図２に記載の延長管のＣ−Ｃ断面図である。
【図６（ａ）】ＡＣ式電気掃除機における、図２に記載の吸口体のＤ−Ｄ断面図である。
【図６（ｂ）】ＤＣ式電気掃除機における、図２に記載の吸口体のＤ−Ｄ断面図である。
【図７】ホースの操作管と延長管の接続部の拡大斜視図である。
【図８】通電しない応用付属品をホースの操作管に接続した状態を示す斜視図である。
【発明を実施するための形態】
【０００８】
以下、本発明を実施するための形態について、図面を参照して説明する。
【実施例１】
【０００９】
以下、本発明に係る実施例１について図面を参照して説明する。図１に本発明の実施例１に係る電気掃除機の外観図を示す。電気掃除機１は、掃除機本体２と、ホース部３と接続し手元操作スイッチＳＷ等が設けられた操作管４と、延長管５と、吸口体６とで構成されている。以降、ホース部３と操作管４とを合わせてホースと呼ぶことがある。
【００１０】
掃除機本体２は、吸引力を発生させる電動送風機２ａ、この電動送風機２ａの吸引力で集塵した塵埃を収容する集塵部２ｂなどを備えている。なお、本実施例では、いわゆるサイクロン式の電気掃除機を例に挙げて説明するが、いわゆる紙パック式の電気掃除機に適用してもよい。
【００１１】
ホース部３の一端であるホース部接続部は、掃除機本体２の集塵部２ｂと連通するように掃除機本体２の接続口２ｃに接続されている。また、ホース部３の他端は、操作管４の一端に接続されている。
【００１２】
操作管４は、手元操作スイッチＳＷなどを備えたハンドル４ａ、掃除機本体２から給電される給電端子などを備えている。この給電端子には、延長管５の一端に設けられる通電端子が接続される。
【００１３】
操作管４の手元操作スイッチＳＷを操作することによって、電動送風機２ａの運転と停止や強中弱の切り替え、吸口体６に設けられたモータの運転と停止が可能となっている。
【００１４】
図２に本発明に係る実施例１の標準付属品（ホース、延長管５、吸口体６）の接続前の正面図を示す。
【００１５】
操作管４は先端に延長管５の凸側接続部５０と接続する凹側接続部４０を有する。
【００１６】
延長管５は外パイプ５ａと内パイプ５ｂとから成り、伸縮ボタン５２を操作することで、伸縮可能な構造となっている。外パイプ５ａの端部には前述した凸側接続部５０を有し、内パイプ５ｂの先端側には吸口体６と接続する凹側接続部５１を有する。
【００１７】
吸口体６の一端には凹側接続部５１に接続する凸側接続部６０を有する。これらを接続することで、操作管４、延長管５、吸口体６は図示しない電線によって電気的に接続される。
【００１８】
なお、本実施例では、延長管５を介して操作管４と吸口体６が接続される形態を示しているが、直接、操作管４に吸口体６を接続することも可能である。
【００１９】
操作管４の凹側接続部４０はガイド受け部４０ａ、４０ａ（図３（ａ）参照）を有する。ガイド受け部４０ａ、４０ａは垂直面４０ｂ、４０ｂと水平面４０ｃ、４０ｃを有する略三角形の形状をした凹部である。
【００２０】
延長管５の凸側接続部５０は垂直面５０ｂ、５０ｂと水平面５０ｃ、５０ｃを有する略三角形状をした凸部であるガイド部５０ａ、５０ａ（図４（ａ）参照）を有する。
【００２１】
同様に、延長管５の凹側接続部５１はガイド受け部５１ａ、５１ａ（図５（ａ）参照）を有し、吸口体６の凸側接続部６０はガイド部６０ａ、６０ａ（図６（ａ）参照）を有する。
【００２２】
図７はホースの操作管と延長管の接続部の拡大斜視図である。ガイド部５０ａ、５０ａは接続部と一体に樹脂（ポリプロピレンなど）で成形され、接続ピン５３よりも軸線方向に長く延出しており、嵌合する際に、接続ピン５３が凹面４１に衝突するよりも前に、ピン穴４２ｂ、４２ｂへ呼び込まれるようにガイドすることで、接続ピン５３の傷付きを防止する。ガイド部６０ａ、６０ａについても同様であるため、説明は省略する。
【００２３】
これらは、本実施例に示すＡＣ式電気掃除機の標準付属品と同様に、ＤＣ式電気掃除機の標準付属品にも構成されている。（図３（ｂ）、図４（ｂ）、図５（ｂ）、図６（ｂ）参照）
ＡＣ式標準付属品のガイド受け部の幅Ｗ１、Ｗ３およびガイド部の幅Ｗ２、Ｗ４は約２３ｍｍであり、嵌合可能な寸法関係としている。    
一方で、ＤＣ式標準付属品のガイド受け部の幅Ｗ１’、Ｗ３’およびガイド部の幅Ｗ２’、Ｗ４’は約２７ｍｍであり、嵌合可能な寸法関係としている。
【００２４】
つまり、Ｗ１、Ｗ３＜Ｗ２’、Ｗ４’となる寸法関係としている（ＡＣ式標準付属品のガイド受け部の幅は、ＤＣ式標準付属品のガイド受け部の幅よりも短い寸法関係としている）。
【００２５】
ここで、ＡＣ式標準付属品の接続部の内径Ｌ１，Ｌ３および外径Ｌ２，Ｌ４は約３５ｍｍである。また、ＤＣ式標準付属品の接続部の内径Ｌ１’，Ｌ３’および外径Ｌ２’，Ｌ４’も約３５ｍｍであり、ＡＣ式とＤＣ式で同一の径としている。
【００２６】
このような構成にすることで、接続部の径を同一としながら、ＡＣ式電気掃除機にＤＣ式吸口体を接続しようとした際には、ガイド部５０ａ、５０ａまたは６０ａ、６０ａがガイド受け部４０ａ、４０ａまたは５１ａ、５１ａに干渉することで、誤接続を防止することができる。
【００２７】
また、本実施例によれば、ガイド部とガイド受け部を、誤接続防止の構造として活用することで、新たに部品を増やすことなく誤接続防止の構造が実現可能であり、軽量かつ低コストで信頼性を向上させることができる。
【００２８】
また、本実施例によれば、接続部の径をＡＣ式とＤＣ式で同一とすることができ、図８に示すような、通電しない応用付属品７０を共用することが可能になり、開発期間の短縮や部品供給の安定化、製造工程での誤梱包のリスク低減などの効果を奏する。
【００２９】
なお、種類の異なる２種類の電気掃除機において、第１の種類の電気掃除機は、蓄電池を電源とするものであり、第２の種類の電気掃除機は、商用電源を電源とするものであり、各種類の電気掃除機は、ホースと延長管と吸口体と、を有し、前記第１の種類の電気掃除機における、前記ホースと、前記延長管と、前記吸口体は、互いに接続可能であり、前記第２の種類の電気掃除機における、前記ホースと、前記延長管と、前記吸口体は、互いに接続可能であり、それぞれのホースと延長管と吸口体は、互いに接続する部分にガイド部を備え、前記第１の種類の電気掃除機における前記ホースと前記延長管と前記吸口体の接続部の径は、前記第２の種類の電気掃除機における前記ホースと前記延長管と前記吸口体の接続部の径と略同一であり、前記第１の種類の電気掃除機における前記ホースと前記延長管と前記吸口体のガイド部の幅は、前記第２の種類の電気掃除機における前記ホースと前記延長管と前記吸口体のガイド部の幅とは異なる、としても良い。
【００３０】
なお、本実施例では具体的な寸法を述べたが、Ｗ１、Ｗ３＜Ｗ２’、Ｗ４’が成り立つ範囲であれば、適宜変更可能であり、同様の効果を得ることができる。
【００３１】
また、本実施例ではＡＣ式電気掃除機にＤＣ式吸口体の接続防止構造を述べたが、反対にＤＣ式電気掃除機にＡＣ式吸口体の接続防止構造とする場合には、Ｗ２、Ｗ４＞Ｗ１’、Ｗ３’が成り立つ寸法関係にすればよい。
【符号の説明】
【００３２】
１  電気掃除機
２  掃除機本体
３  ホース部
４  操作管
５  延長管
５ａ  外パイプ
５ｂ  内パイプ
６  吸口体
４０  凹側接続部
４０ａ  ガイド受け部
４０ｂ  垂直面
４０ｃ  水平面
４１  凹部
４２ｂ  ピン穴
５０  凸側接続部
５０ａ  ガイド部
５０ｂ  垂直面
５０ｃ  水平面
５１  凹側接続部
５１ａ  ガイド受け部
５２  伸縮ボタン
５３  接続ピン
６０  凸側接続部
６０ａ  ガイド部
７０  応用付属品
ＳＷ  手元操作スイッチ
Ｗ１  ガイド受け部の幅（ＡＣ式）
Ｗ２  ガイド部の幅（ＡＣ式）
Ｗ３  ガイド受け部の幅（ＡＣ式）
Ｗ４  ガイド部の幅（ＡＣ式）
Ｗ１’  ガイド受け部の幅（ＤＣ式）
Ｗ２’  ガイド部の幅（ＤＣ式）
Ｗ３’  ガイド受け部の幅（ＤＣ式）
Ｗ４’  ガイド部の幅（ＤＣ式）
Ｌ１  接続部の内径（ＡＣ式）
Ｌ２  接続部の外径（ＡＣ式）
Ｌ３  接続部の内径（ＡＣ式）
Ｌ４  接続部の外径（ＡＣ式）
Ｌ１’  接続部の内径（ＤＣ式）
Ｌ２’  接続部の外径（ＤＣ式）
Ｌ３’  接続部の内径（ＤＣ式）
Ｌ４‘  接続部の外径（ＤＣ式）
【図１】
2020000396.tif 000003
【図２】
2020000396.tif 000004
【図３（ａ）】
2020000396.tif 000005
【図３（ｂ）】
2020000396.tif 000006
【図４（ａ）】
2020000396.tif 000007
【図４（ｂ）】
2020000396.tif 000008
【図５（ａ）】
2020000396.tif 000009
【図５（ｂ）】
2020000396.tif 000010
【図６（ａ）】
2020000396.tif 000011
【図６（ｂ）】
2020000396.tif 000012
【図７】
2020000396.tif 000013
【図８】
2020000396.tif 000014